(57)【特許請求の範囲】
【請求項１】
ネットワークを介して金融機関の取引サービスを提供するＷｅｂサーバ装置と、現金自動取引装置を管理する管理サーバ装置とを備える現金自動取引システムであって、
前記Ｗｅｂサーバ装置は、
前記ネットワークを介して、指定された出金金額を預金者の口座から出金する出金予約を受け付ける予約受付部と、
前記予約受付部が受け付けた前記出金予約に応じて、前記出金予約を識別する第１予約識別情報と、前記金融機関を識別する金融機関情報及び前記出金金額を含む出金指示情報とを対応付けた出金予約情報を前記管理サーバ装置に送信するとともに、前記預金者の口座から前記出金金額を、前記預金者の口座とは異なる預金出金口であって、出金用の金額を蓄積し、出金により前記出金用の金額を減額可能な預金出金口に移動させる指示を前記金融機関に送信する予約処理部と
を備え、
前記管理サーバ装置は、
前記出金予約情報を受信する受信処理部と、
前記現金自動取引装置に入力された第２予約識別情報を取得し、取得した前記第２予約識別情報と一致する前記第１予約識別情報に対応する前記出金指示情報に基づいて、前記出金金額の現金を前記現金自動取引装置に出金させるとともに、前記預金出金口から前記出金金額を減額させる取引処理部と
を備え、
前記第１予約識別情報及び前記第２予約識別情報には、前記出金予約に対応する予約番号と、前記出金予約を受け付けた予約時刻とが含まれる
ことを特徴とする現金自動取引システム。
【請求項２】
前記予約処理部は、前記予約時刻から所定の期間以上が経過した場合に、前記出金予約の取消を指示し、前記予約番号を含む予約取消指示を、前記管理サーバ装置に送信するとともに、当該取消を指示した前記出金予約の前記出金金額を、前記預金出金口から前記出金予約の前記預金者の口座に移動させる指示を、前記金融機関に送信し、
前記取引処理部は、前記予約取消指示に含まれる前記予約番号に対応する前記出金予約を取り消す
ことを特徴とする請求項１に記載の現金自動取引システム。
【請求項３】
前記ネットワークを介して、前記Ｗｅｂサーバ装置に前記出金予約を行う携帯情報端末と、
前記携帯情報端末との間で近距離無線通信により通信可能であり、操作画面を表示する表示部と操作部とを備えない前記現金自動取引装置と
を備え、
前記予約処理部は、前記出金予約に応じて、前記第１予約識別情報を前記携帯情報端末に送信し、
前記取引処理部は、前記近距離無線通信により前記携帯情報端末から前記現金自動取引装置に入力された前記第１予約識別情報を第２予約識別情報として取得し、取得した前記第２予約識別情報と一致する前記第１予約識別情報に対応する前記出金指示情報に基づいて、前記出金金額の現金を前記現金自動取引装置に出金させるとともに、前記預金出金口から前記出金金額を減額させる
ことを特徴とする請求項１又は請求項２に記載の現金自動取引システム。
【請求項４】
前記預金出金口は、前記預金者の口座に対応して備えられており、
前記出金予約情報には、前記預金者の口座を示す口座情報が含まれ、
前記取引処理部は、前記口座情報に基づいて、前記預金者の口座に対応する前記預金出金口から前記出金金額を減額させる
ことを特徴とする請求項１から請求項３のいずれか一項に記載の現金自動取引システム。
【請求項５】
前記予約受付部は、前記ネットワークを介して、指定された入金金額を前記預金者の口座に入金する入金予約を受け付け、
前記予約処理部は、前記予約受付部が受け付けた前記入金予約に応じて、前記入金予約を識別する第３予約識別情報と、前記金融機関情報及び前記入金金額を含む入金指示情報とを対応付けた入金予約情報を前記管理サーバ装置に送信するとともに、前記預金者の口座とは異なる預金振込口から前記預金者の口座に前記入金金額を移動させる指示を前記金融機関に送信し、
前記受信処理部は、前記入金予約情報を受信し、
前記取引処理部は、取得した前記第２予約識別情報と一致する前記第３予約識別情報に対応する前記入金指示情報に基づいて、前記現金自動取引装置に前記入金金額の現金を入金させるとともに、前記入金金額を前記預金振込口の金額に加算させる
ことを特徴とする請求項１から請求項４のいずれか一項に記載の現金自動取引システム。
【請求項６】
前記Ｗｅｂサーバ装置は、
前記預金者の位置情報を取得し、取得した前記預金者の位置情報を前記管理サーバ装置に送信し、
前記管理サーバ装置は、
前記Ｗｅｂサーバ装置から送信された前記預金者の位置情報に基づいて、前記預金者の位置から所定の距離以内に存在する前記現金自動取引装置の位置情報を、前記Ｗｅｂサーバ装置に送信する
ことを特徴とする請求項１から請求項５のいずれか一項に記載の現金自動取引システム。
【請求項７】
ネットワークを介して金融機関の取引サービスを提供するＷｅｂサーバ装置が受け付けた出金予約であって、前記ネットワークを介して、指定された出金金額を預金者の口座から出金する出金予約を識別する第１予約識別情報と、前記金融機関を識別する金融機関情報及び前記出金金額を含む出金指示情報とを対応付けた出金予約情報を受信する受信処理部と、
現金自動取引装置に入力された第２予約識別情報を取得し、取得した前記第２予約識別情報と一致する前記第１予約識別情報に対応する前記出金指示情報に基づいて、前記出金金額の現金を前記現金自動取引装置に出金させるとともに、前記預金者の口座とは異なる口座であり、出金用の金額を蓄積し、出金により前記出金用の金額を減額可能な預金出金口であって、前記預金者の口座から前記出金金額が移動されている預金出金口から前記出金金額を減額させる取引処理部と
を備え、
前記第１予約識別情報及び前記第２予約識別情報には、前記出金予約に対応する予約番号と、前記出金予約を受け付けた予約時刻とが含まれる
ことを特徴とする管理サーバ装置。
【請求項８】
ネットワークを介して金融機関の取引サービスを提供するＷｅｂサーバ装置と、現金自動取引装置を管理する管理サーバ装置とを備える現金自動取引システムの現金自動取引方法であって、
前記Ｗｅｂサーバ装置が、前記ネットワークを介して、指定された出金金額を預金者の口座から出金する出金予約を受け付ける予約受付ステップと、
前記Ｗｅｂサーバ装置が、前記予約受付ステップによって受け付けた前記出金予約に応じて、前記出金予約を識別する第１予約識別情報と、前記金融機関を識別する金融機関情報及び前記出金金額を含む出金指示情報とを対応付けた出金予約情報を前記管理サーバ装置に送信するとともに、前記預金者の口座から前記出金金額を、前記預金者の口座とは異なる預金出金口であって、出金用の金額を蓄積し、出金により前記出金用の金額を減額可能な預金出金口に移動させる指示を前記金融機関に送信する予約処理ステップと、
前記管理サーバ装置が、前記出金予約情報を受信する受信処理ステップと、
前記管理サーバ装置が、前記現金自動取引装置に入力された第２予約識別情報を取得し、取得した前記第２予約識別情報と一致する前記第１予約識別情報に対応する前記出金指示情報に基づいて、前記出金金額の現金を前記現金自動取引装置に出金させるとともに、前記預金出金口から前記出金金額を減額させる取引処理ステップと
を含み、
前記第１予約識別情報及び前記第２予約識別情報には、前記出金予約に対応する予約番号と、前記出金予約を受け付けた予約時刻とが含まれる
ことを特徴とする現金自動取引方法。
【請求項９】
コンピュータに、
ネットワークを介して金融機関の取引サービスを提供するＷｅｂサーバ装置が受け付けた出金予約であって、前記ネットワークを介して、指定された出金金額を預金者の口座から出金する出金予約を識別する第１予約識別情報と、前記金融機関を識別する金融機関情報及び前記出金金額を含む出金指示情報とを対応付けた出金予約情報を受信する受信処理ステップと、
現金自動取引装置に入力された第２予約識別情報を取得し、取得した前記第２予約識別情報と一致する前記第１予約識別情報に対応する前記出金指示情報に基づいて、前記出金金額の現金を前記現金自動取引装置に出金させるとともに、前記預金者の口座とは異なる口座であり、出金用の金額を蓄積し、出金により前記出金用の金額を減額可能な預金出金口であって、前記預金者の口座から前記出金金額が移動されている預金出金口から前記出金金額を減額させる取引処理ステップと
を実行させるためのプログラムであり、
前記第１予約識別情報及び前記第２予約識別情報には、前記出金予約に対応する予約番号と、前記出金予約を受け付けた予約時刻とが含まれる
プログラム。
【発明の詳細な説明】
【技術分野】
【０００１】
本発明は、現金自動取引システム、管理サーバ装置、現金自動取引方法、及びプログラムに関する。
【背景技術】
【０００２】
近年、現金自動取引装置（以下、ＡＴＭ（Automatic Teller Machine）という）を備えた現金自動取引システムが広く普及しており、キャッシュカードと暗証番号とを用いて、現金の払い出しなどの取引が行われている。このようなＡＴＭから、例えば、現金を引き出す場合、ＡＴＭ画面における多くの操作が必要になり、処理に時間がかかるため、ＡＴＭの前に使用を待つ長い行列ができることがある。このような取引を行うまでの待ち時間を低減するために、現金自動取引システムにおいて、ＡＴＭで行う取引を予め予約する技術が知られている（例えば、特許文献１、及び特許文献２を参照）。
【先行技術文献】
【特許文献】
【０００３】
【特許文献１】特開２０１１−６０２５７号公報
【特許文献２】特開２０１５−１６２１３２号公報
【発明の概要】
【発明が解決しようとする課題】
【０００４】
しかしながら、上述した現金自動取引システムでは、予約した取引を行うために、例えば、予約取引の画面選択及びキャッシュカードの挿入や、自動車に乗って金融機関に入店する必要があるなど、待ち時間の低減が不充分であり利便性が損なわれる場合があった。そのため、上述した現金自動取引システムでは、さらなる利便性の向上が求められている。
【０００５】
本発明は、上記問題を解決すべくなされたもので、その目的は、利便性を向上させることができる現金自動取引システム、管理サーバ装置、現金自動取引方法、及びプログラムを提供することにある。
【課題を解決するための手段】
【０００６】
上記問題を解決するために、本発明の一態様は、ネットワークを介して金融機関の取引サービスを提供するＷｅｂサーバ装置と、現金自動取引装置を管理する管理サーバ装置とを備える現金自動取引システムであって、前記Ｗｅｂサーバ装置は、前記ネットワークを介して、指定された出金金額を預金者の口座から出金する出金予約を受け付ける予約受付部と、前記予約受付部が受け付けた前記出金予約に応じて、前記出金予約を識別する第１予約識別情報と、前記金融機関を識別する金融機関情報及び前記出金金額を含む出金指示情報とを対応付けた出金予約情報を前記管理サーバ装置に送信するとともに、前記預金者の口座から前記出金金額を、前記預金者の口座とは異なる預金出金口であって、出金用の金額を蓄積し、出金により前記出金用の金額を減額可能な預金出金口に移動させる指示を前記金融機関に送信する予約処理部とを備え、前記管理サーバ装置は、前記出金予約情報を受信する受信処理部と、前記現金自動取引装置に入力された第２予約識別情報を取得し、取得した前記第２予約識別情報と一致する前記第１予約識別情報に対応する前記出金指示情報に基づいて、前記出金金額の現金を前記現金自動取引装置に出金させるとともに、前記預金出金口から前記出金金額を減額させる取引処理部とを備え、前記第１予約識別情報及び前記第２予約識別情報には、前記出金予約に対応する予約番号と、前記出金予約を受け付けた予約時刻とが含まれることを特徴とする現金自動取引システムである。
また、本発明の一態様は、上記の現金自動取引システムにおいて、前記予約処理部は、前記予約時刻から所定の期間以上が経過した場合に、前記出金予約の取消を指示し、前記予約番号を含む予約取消指示を、前記管理サーバ装置に送信するとともに、当該取消を指示した前記出金予約の前記出金金額を、前記預金出金口から前記出金予約の前記預金者の口座に移動させる指示を、前記金融機関に送信し、前記取引処理部は、前記予約取消指示に含まれる前記予約番号に対応する前記出金予約を取り消すことを特徴とする。
【０００７】
また、本発明の一態様は、上記の現金自動取引システムにおいて、前記ネットワークを介して、前記Ｗｅｂサーバ装置に前記出金予約を行う携帯情報端末と、前記携帯情報端末との間で近距離無線通信により通信可能であり、操作画面を表示する表示部と操作部とを備えない前記現金自動取引装置とを備え、前記予約処理部は、前記出金予約に応じて、前記第１予約識別情報を前記携帯情報端末に送信し、前記取引処理部は、前記近距離無線通信により前記携帯情報端末から前記現金自動取引装置に入力された前記第１予約識別情報を第２予約識別情報として取得し、取得した前記第２予約識別情報と一致する前記第１予約識別情報に対応する前記出金指示情報に基づいて、前記出金金額の現金を前記現金自動取引装置に出金させるとともに、前記預金出金口から前記出金金額を減額させることを特徴とする。
【０００８】
また、本発明の一態様は、上記の現金自動取引システムにおいて、前記預金出金口は、前記預金者の口座に対応して備えられており、前記出金予約情報には、前記預金者の口座を示す口座情報が含まれ、前記取引処理部は、前記口座情報に基づいて、前記預金者の口座に対応する前記預金出金口から前記出金金額を減額させることを特徴とする。
【０００９】
また、本発明の一態様は、上記の現金自動取引システムにおいて、前記予約受付部は、前記ネットワークを介して、指定された入金金額を前記預金者の口座に入金する入金予約を受け付け、前記予約処理部は、前記予約受付部が受け付けた前記入金予約に応じて、前記入金予約を識別する第３予約識別情報と、前記金融機関情報及び前記入金金額を含む入金指示情報とを対応付けた入金予約情報を前記管理サーバ装置に送信するとともに、前記預金者の口座とは異なる預金振込口から前記預金者の口座に前記入金金額を移動させる指示を前記金融機関に送信し、前記受信処理部は、前記入金予約情報を受信し、前記取引処理部は、取得した前記第２予約識別情報と一致する前記第３予約識別情報に対応する前記入金指示情報に基づいて、前記現金自動取引装置に前記入金金額の現金を入金させるとともに、前記入金金額を前記預金振込口の金額に加算させることを特徴とする。
【００１０】
また、本発明の一態様は、上記の現金自動取引システムにおいて、前記Ｗｅｂサーバ装置は、前記預金者の位置情報を取得し、取得した前記預金者の位置情報を前記管理サーバ装置に送信し、前記管理サーバ装置は、前記Ｗｅｂサーバ装置から送信された前記預金者の位置情報に基づいて、前記預金者の位置から所定の距離以内に存在する前記現金自動取引装置の位置情報を、前記Ｗｅｂサーバ装置に送信することを特徴とする。
【００１１】
また、本発明の一態様は、ネットワークを介して金融機関の取引サービスを提供するＷｅｂサーバ装置が受け付けた出金予約であって、前記ネットワークを介して、指定された出金金額を預金者の口座から出金する出金予約を識別する第１予約識別情報と、前記金融機関を識別する金融機関情報及び前記出金金額を含む出金指示情報とを対応付けた出金予約情報を受信する受信処理部と、現金自動取引装置に入力された第２予約識別情報を取得し、取得した前記第２予約識別情報と一致する前記第１予約識別情報に対応する前記出金指示情報に基づいて、前記出金金額の現金を前記現金自動取引装置に出金させるとともに、前記預金者の口座とは異なる口座であり、出金用の金額を蓄積し、出金により前記出金用の金額を減額可能な預金出金口であって、前記預金者の口座から前記出金金額が移動されている預金出金口から前記出金金額を減額させる取引処理部とを備え、前記第１予約識別情報及び前記第２予約識別情報には、前記出金予約に対応する予約番号と、前記出金予約を受け付けた予約時刻とが含まれることを特徴とする管理サーバ装置である。
【００１２】
また、本発明の一態様は、ネットワークを介して金融機関の取引サービスを提供するＷｅｂサーバ装置と、現金自動取引装置を管理する管理サーバ装置とを備える現金自動取引システムの現金自動取引方法であって、前記Ｗｅｂサーバ装置が、前記ネットワークを介して、指定された出金金額を預金者の口座から出金する出金予約を受け付ける予約受付ステップと、前記Ｗｅｂサーバ装置が、前記予約受付ステップによって受け付けた前記出金予約に応じて、前記出金予約を識別する第１予約識別情報と、前記金融機関を識別する金融機関情報及び前記出金金額を含む出金指示情報とを対応付けた出金予約情報を前記管理サーバ装置に送信するとともに、前記預金者の口座から前記出金金額を、前記預金者の口座とは異なる預金出金口であって、出金用の金額を蓄積し、出金により前記出金用の金額を減額可能な預金出金口に移動させる指示を前記金融機関に送信する予約処理ステップと、前記管理サーバ装置が、前記出金予約情報を受信する受信処理ステップと、前記管理サーバ装置が、前記現金自動取引装置に入力された第２予約識別情報を取得し、取得した前記第２予約識別情報と一致する前記第１予約識別情報に対応する前記出金指示情報に基づいて、前記出金金額の現金を前記現金自動取引装置に出金させるとともに、前記預金出金口から前記出金金額を減額させる取引処理ステップとを含み、前記第１予約識別情報及び前記第２予約識別情報には、前記出金予約に対応する予約番号と、前記出金予約を受け付けた予約時刻とが含まれることを特徴とする現金自動取引方法である。
【００１３】
また、本発明の一態様は、コンピュータに、ネットワークを介して金融機関の取引サービスを提供するＷｅｂサーバ装置が受け付けた出金予約であって、前記ネットワークを介して、指定された出金金額を預金者の口座から出金する出金予約を識別する第１予約識別情報と、前記金融機関を識別する金融機関情報及び前記出金金額を含む出金指示情報とを対応付けた出金予約情報を受信する受信処理ステップと、現金自動取引装置に入力された第２予約識別情報を取得し、取得した前記第２予約識別情報と一致する前記第１予約識別情報に対応する前記出金指示情報に基づいて、前記出金金額の現金を前記現金自動取引装置に出金させるとともに、前記預金者の口座とは異なる口座であり、出金用の金額を蓄積し、出金により前記出金用の金額を減額可能な預金出金口であって、前記預金者の口座から前記出金金額が移動されている預金出金口から前記出金金額を減額させる取引処理ステップとを実行させるためのプログラムであり、前記第１予約識別情報及び前記第２予約識別情報には、前記出金予約に対応する予約番号と、前記出金予約を受け付けた予約時刻とが含まれるプログラムである。
【発明の効果】
【００１４】
本発明によれば、利便性を向上させることができる。
【図面の簡単な説明】
【００１５】
【図１】第１の実施形態によるＡＴＭ取引システムの一例を示す機能ブロック図である。
【図２】第１の実施形態における予約記憶部のデータ例を示す図である。
【図３】第１の実施形態におけるＡＴＭ及び携帯情報端末の一例を示す外観図である。
【図４】第１の実施形態によるＡＴＭ取引システムの出金処理の一例を示す図である。
【図５】第１の実施形態によるＡＴＭ取引システムの予約取消処理の一例を示す図である。
【図６】第２の実施形態によるＡＴＭ取引システムの一例を示す機能ブロック図である。
【図７】第２の実施形態における予約記憶部のデータ例を示す図である。
【図８】第２の実施形態によるＡＴＭ取引システムの入金処理の一例を示す図である。
【図９】第３の実施形態によるＡＴＭ取引システムの一例を示す機能ブロック図である。
【図１０】第３の実施形態によるＡＴＭ取引システムの予約取消処理の一例を示す図である。
【図１１】ＡＴＭ取引システムのＡＴＭ位置表示サービスの一例を示す図である。
【発明を実施するための形態】
【００１６】
以下、本発明の一実施形態による現金自動取引システムについて、図面を参照して説明する。
［第１の実施形態］
第１の実施形態では、現金自動取引システムの一例として、ＡＴＭ取引システムについて説明する。
図１は、第１の実施形態によるＡＴＭ取引システム１の一例を示す機能ブロック図である。
図１に示すように、ＡＴＭ取引システム１は、携帯情報端末１０と、ＩＢ（インターネットバンク）サーバ装置２０と、管理サーバ装置３０と、勘定系ホスト装置４０と、ＡＴＭ５０とを備えている。
【００１７】
なお、説明の便宜上、ＡＴＭ取引システム１は、携帯情報端末１０と、ＩＢサーバ装置２０と、管理サーバ装置３０と、勘定系ホスト装置４０と、ＡＴＭ５０との各構成を１つ備える例を説明するが、各構成を複数そなえてもよい。
【００１８】
携帯情報端末１０は、例えば、スマートフォンなどの端末装置であり、インターネットに接続されたネットワークＮＷ１を介してＩＢサーバ装置２０と接続可能である。携帯情報端末１０は、ネットワークＮＷ１を介してＩＢサーバ装置２０に接続し、ＩＢサーバ装置２０が提供するインターネットバンクの各種サービスの操作を行う。携帯情報端末１０は、例えば、インターネットバンクのサービスの１つである出金（引き出し）予約の操作を行い、ＩＢサーバ装置２０から出金予約の認証情報（例えば、予約番号及び予約時刻）を取得する。また、携帯情報端末１０は、ＩＢサーバ装置２０から取得した認証情報をＮＦＣ（Near Field Communication）通信により、ＡＴＭ５０に送信し、出金予約した出金金額の現金をＡＴＭ５０に出力（払い出し）させる。なお、認証情報の詳細については後述する。
また、携帯情報端末１０は、ＮＷ（ネットワーク）通信部１１と、ＮＦＣ通信部１２と、端末記憶部１３と、端末制御部１４と、入力部１５と、表示部１６とを備えている。
【００１９】
ＮＷ通信部１１は、例えば、携帯電話などの移動通信、無線ＬＡＮ（Local Area Network）通信などを利用してネットワークＮＷ１に接続し、ネットワークＮＷ１を介して各種通信を行う。ＮＷ通信部１１は、例えば、ネットワークＮＷ１を介して、ＩＢサーバ装置２０に接続し、インターネットバンクの各種通信を行う。
【００２０】
ＮＦＣ通信部１２は、近距離無線通信を利用した通信を行う。ＮＦＣ通信部１２は、例えば、インターネットバンクで予め実行した出金予約の認証情報を、出金処理を行う際に、ＡＴＭ５０に送信する。
端末記憶部１３は、携帯情報端末１０が実行する処理に利用する各種情報を記憶する。端末記憶部１３は、例えば、上述した出金予約を用いた出金取引に利用する、出金予約情報、口座情報、認証情報などを記憶する。
【００２１】
端末制御部１４は、例えば、ＣＰＵ（Central Processing Unit）などを含むプロセッサであり、携帯情報端末１０を統括的に制御する。端末制御部１４は、例えば、インターネットバンクの処理、上述した出金予約を用いた出金取引の処理などを実行する。端末制御部１４は、例えば、ＮＷ通信部１１を介して、少なくとも出金金額を含む出金予約をＩＢサーバ装置２０に送信し、ＮＷ通信部１１を介して、認証情報を取得する。また、端末制御部１４は、ＡＴＭ５０により出金取引を行う際に、ＮＦＣ通信部１２を介して、認証情報をＡＴＭ５０に送信する。
【００２２】
入力部１５は、例えば、タッチパネルなどの入力デバイスであり、携帯情報端末１０に対する各種入力を受け付ける。入力部１５は、例えば、インターネットバンクの各種操作などを受け付ける。
表示部１６は、例えば、液晶ディスプレイ装置などであり、各種情報を表示する。表示部１６は、例えば、インターネットバンクの操作メニュー、入力情報、取引内容などを表示する。
【００２３】
ＩＢサーバ装置２０（Ｗｅｂサーバ装置の一例）は、ＩＢセンタＣＴ１内に備えられたサーバ装置であり、ネットワークＮＷ１を介して金融機関ＣＴ３の取引サービスを提供する。ＩＢサーバ装置２０は、携帯情報端末１０のユーザ（例えば、金融機関ＣＴ３の預金者）に対して、インターネットバンクのＷｅｂサービスを提供する。ネットワークＮＷ１を介して、指定された出金金額を預金者口座４３から出金する出金予約を受け付ける。ＩＢサーバ装置２０は、受け付けた出金予約に応じて、出金予約情報を管理サーバ装置３０に送信する。出金予約情報は、少なくとも出金予約を識別する第１予約識別情報（例えば、予約番号）と、金融機関情報及び出金金額を含む出金指示情報とを対応付けた情報であり、出金予約情報の詳細については後述する。また、ＩＢサーバ装置２０は、預金者口座４３から出金金額を預金出金口に移動させる指示を金融機関ＣＴ３の勘定系ホスト装置４０に送信する。
ＩＢサーバ装置２０は、ＮＷ通信部２１と、ＩＢ記憶部２２と、ＩＢ制御部２３とを備えている。
【００２４】
ＮＷ通信部２１は、ネットワークＮＷ１、管理サーバ装置３０、及び勘定系ホスト装置４０に接続可能な通信部であり、ネットワークＮＷ１、管理サーバ装置３０、及び勘定系ホスト装置４０と通信を行う。
ＩＢ記憶部２２は、ＩＢサーバ装置２０が実行する処理に利用する各種情報を記憶する。ＩＢ記憶部２２は、予約記憶部２２１を備えている。
【００２５】
予約記憶部２２１は、出金予約処理の予約情報を記憶する。予約記憶部２２１は、例えば、図２に示すように、「出金金額」と、「口座情報」と、「予約番号」と、「予約時刻」と、「予約完了」と、「予約取消」とを対応付けて記憶する。
図２は、本実施形態における予約記憶部２２１のデータ例を示す図である。
図２において、「出金金額」は、出金予約において指定された出金金額（取引金額）を示し、「口座情報」は、出金予約により出金する預金者の口座情報を示している。ここで、口座情報には、例えば、銀行コード、店番コード、口座種別、口座番号などが含まれ、口座情報は、金融機関ＣＴ３を識別する金融機関情報の一例である。また、「予約番号」は、出金予約を識別する識別情報であり、「予約時刻」は、出金予約が受け付けられた時刻を示している。なお、「予約時刻」を、出金予約を識別する識別情報の一部としてもよい。
【００２６】
また、「予約完了」は、出金予約の取引がＡＴＭ５０において完了しているか否かを示す情報であり、例えば、出金予約の取引が完了している場合に、“１”が記憶され、出金予約の取引が完了していない場合に、Ｎｕｌｌ（ヌル）又は“０”となる。また、「予約取消」は、出金予約が取り消されたか否かを示す情報であり、例えば、出金予約が取り消された場合に、“１”が記憶され、出金予約が取り消されていない場合に、Ｎｕｌｌ又は“０”となる。
【００２７】
図２に示す例では、「出金金額」が“１，０００円”、「口座情報」が“ＸＸＸ−ＸＸＸ・・・”、「予約番号」が“ＸＸＸ０００１”、「予約時刻」が“１１：００”の出金予約は、「予約完了」が“１”であり、既に取引が完了していることを示している。また、出金金額」が“５０，０００円”、「口座情報」が“ＸＸＸ−ＸＸＸ・・・”、「予約番号」が“ＸＸＸ０００２”、「予約時刻」が“１２：００”の出金予約は、「予約取消」が“１”であり、予約が取り消されたことを示している。また、「出金金額」が“１０，０００円”、「口座情報」が“ＸＸＸ−ＸＸＸ・・・”、「予約番号」が“ＸＸＸ０００３”、「予約時刻」が“１７：００”の出金予約は、「予約完了」及び「予約取消」がＮｕｌｌ又は“０”であり、まだ取引が完了していない、且つ、取消もされていないことを示している。
【００２８】
図１の説明に戻り、ＩＢ制御部２３は、例えば、ＣＰＵなどを含むプロセッサであり、ＩＢサーバ装置２０を統括的に制御する。ＩＢ制御部２３は、例えば、予約受付部２３１と、予約処理部２３２とを備えている。
予約受付部２３１は、ネットワークＮＷ１を介して、指定された出金金額を預金者口座４３（預金者の口座）から出金する出金予約を受け付ける。予約受付部２３１は、例えば、ネットワークＮＷ１及びＮＷ通信部２１を介して、携帯情報端末１０から、出金金額を含む出金予約を、インターネットバンクのＷｅｂサービスを利用して受け付ける。
【００２９】
予約処理部２３２は、予約受付部２３１が受け付けた出金予約に応じて、出金予約を識別する第１予約識別情報と、金融機関ＣＴ３を識別する金融機関情報及び出金金額を含む出金指示情報とを対応付けた出金予約情報を管理サーバ装置３０に送信する。ここで、第１予約識別情報は、例えば、上述した予約番号及び予約時刻であり、金融機関情報は、例えば、上述した口座情報である。予約処理部２３２は、予約受付部２３１が受け付けた出金予約に応じて、予約番号を生成するとともに、予約時刻を取得する。また、予約処理部２３２は、出金予約を行った預金者の口座情報を取得する。予約処理部２３２は、出金金額と、口座情報（銀行コード、店番コード、口座種別、口座番号）と、予約番号及び予約時刻（第１予約識別情報）とを対応付けた出金予約情報を、予約記憶部２２１に記憶させる。また、予約処理部２３２は、出金予約情報を、ＮＷ通信部２１を介して、管理サーバ装置３０に送信する。
【００３０】
また、予約処理部２３２は、予約受付部２３１が受け付けた出金予約に応じて、預金者口座４３から出金金額を、別段預金出金口４４（預金出金口）に移動させる指示を金融機関ＣＴ３に送信する。すなわち、予約処理部２３２は、ＮＷ通信部２１を介して、出金予約において指定された出金金額を、預金者口座４３から別段預金出金口４４に移動させる指示を、勘定系ホスト装置４０に送信する。
また、予約処理部２３２は、出金予約の送信元の携帯情報端末１０に、例えば、予約番号及び予約時刻（認証情報）を第２予約識別情報として、ネットワークＮＷ１及びＮＷ通信部２１を介して送信する。
【００３１】
また、予約処理部２３２は、管理サーバ装置３０から出金予約の取引が完了したことを示す予約完了通知を受信した場合に、予約記憶部２２１における当該出金予約に対応する「予約完了」に“１”を記憶させる。
また、予約処理部２３２は、予約時刻から所定の期間以上が経過した場合に、予約記憶部２２１における当該予約時刻に対応する「予約取消」に“１”を記憶させる。また、この場合、予約処理部２３２は、取消を行った出金予約において指定された出金金額を、別段預金出金口４４から預金者口座４３に移動させる（戻させる）指示を、勘定系ホスト装置４０に送信する。
【００３２】
また、予約処理部２３２は、予約時刻から所定の期間以上が経過した場合に、出金予約の取消を指示する予約取消指示を、ＮＷ通信部２１を介して、管理サーバ装置３０に送信する。
なお、予約処理部２３２は、携帯情報端末１０からの依頼により、上述した取消処理と同様の処理を実行してもよい。また、予約処理部２３２は、預金者がＩＢセンタＣＴ１又は運営センタＣＴ２の図示しないオペレータに電話等で連絡し、オペレータからの取り消し操作に応じて、上述した取消処理と同様の処理を実行してもよい。
【００３３】
管理サーバ装置３０は、運営センタＣＴ２内に備えられたサーバ装置であり、ＡＴＭ５０を管理するサーバ装置である。管理サーバ装置３０は、出金予約情報をＩＢサーバ装置２０から受信するとともに、ＡＴＭ５０に入力された上述した予約番号及び予約時刻（認証情報）が、出金予約情報に含まれる予約番号及び予約時刻とが一致するか否かを判定する。管理サーバ装置３０は、ＡＴＭ５０に入力された予約番号及び予約時刻と、出金予約情報に含まれる予約番号及び予約時刻とが一致する場合に、当該予約番号に対応する出金指示情報に基づいて、出金金額の現金をＡＴＭ５０に出金（払い出し）させる。また、管理サーバ装置３０は、勘定系ホスト装置４０に対して、別段預金出金口４４から出金金額を減額させる。
【００３４】
なお、管理サーバ装置３０は、勘定系ホスト装置４０と統合ＡＴＭネットワークＮＷ２を介して接続されており、管理サーバ装置３０は、統合ＡＴＭネットワークＮＷ２を介して、別段預金出金口４４から出金金額を減額させる。ここで、統合ＡＴＭネットワークＮＷ２は、統合ＡＴＭシステム６０の一部であり、統合ＡＴＭシステム６０は、異なる金融機関同士のＡＴＭ５０間で相互に接続して、異なる金融機関の間における取引の実行を可能にする。
また、管理サーバ装置３０は、ＮＷ通信部３１と、管理記憶部３２と、管理制御部３３とを備えている。
【００３５】
ＮＷ通信部３１は、ＩＢサーバ装置２０、ＡＴＭ５０、及び勘定系ホスト装置４０に接続可能な通信部であり、ＩＢサーバ装置２０、ＡＴＭ５０、及び統合ＡＴＭネットワークＮＷ２を介して勘定系ホスト装置４０と通信を行う。
管理記憶部３２は、管理サーバ装置３０が実行する処理に利用する各種情報を記憶する。管理記憶部３２は、予約記憶部３２１を備えている。
【００３６】
予約記憶部３２１は、ＩＢサーバ装置２０から受信した出金予約情報を記憶する。予約記憶部３２１は、例えば、図２に示す予約記憶部２２１と同様に、「出金金額」と、「口座情報」と、「予約番号」と、「予約時刻」と、「予約完了」と、「予約取消」とを対応付けて記憶する。
【００３７】
管理制御部３３は、例えば、ＣＰＵなどを含むプロセッサであり、管理サーバ装置３０を統括的に制御する。管理制御部３３は、例えば、受信処理部３３１と、取引処理部３３２とを備えている。
受信処理部３３１は、ＮＷ通信部３１を介して、ＩＢサーバ装置２０が送信した出金予約情報を受信する。受信処理部３３１は、受信した出金予約情報を予約記憶部３２１に記憶させる。
【００３８】
取引処理部３３２は、ＡＴＭ５０に入力された認証情報（予約番号及び予約時刻）を取得し、取得した認証情報（予約番号及び予約時刻）と一致する第１予約識別情報（予約番号及び予約時刻）に対応する出金指示情報に基づいて、出金金額の現金をＡＴＭ５０に出金（払い出し）させる。すなわち、取引処理部３３２は、ＡＴＭ５０に入力された予約番号及び予約時刻と、予約記憶部３２１が記憶する出金予約情報に含まれる予約番号及び予約時刻とが一致するか否かを判定する。取引処理部３３２は、両者が一致する場合に、当該予約番号及び予約時刻に対応する出金指示情報をＡＴＭ５０に送信して、出金金額の現金をＡＴＭ５０から出金（払い出し）させる。
【００３９】
また、この場合、取引処理部３３２は、ＮＷ通信部３１及び統合ＡＴＭネットワークＮＷ２を介して、勘定系ホスト装置４０に別段預金出金口４４から出金金額を減額させる。また、取引処理部３３２は、出金取引の完了した出金予約情報に対応する予約記憶部３２１の「予約完了」に“１”を記憶させるとともに、当該出金予約の予約完了通知を、ＮＷ通信部３１介して、ＩＢサーバ装置２０に送信する。
なお、取引処理部３３２は、上述した両者が一致し、当該出金予約情報に対応する「予約完了」又は「予約取消」に“１”が記憶されている場合には、出金指示情報をＡＴＭ５０に送信しない。
【００４０】
また、取引処理部３３２は、出金予約の取消を指示する予約取消指示を、ＮＷ通信部３１を介して、ＩＢサーバ装置２０から受信した場合に、予約取消指示に対応する出金予約情報を取り消す。すなわち、取引処理部３３２は、予約取消指示に対応する予約記憶部３２１の「予約取消」に“１”を記憶させる。
【００４１】
ＡＴＭ５０（現金自動処理装置の一例）は、例えば、出金予約を行った携帯情報端末１０から入力された認証情報（予約番号及び予約時刻）に基づいて、現金の出金処理を実行する。ＡＴＭ５０は、ＮＷ通信部５１と、ＮＦＣ通信部５２と、入出金機構５３と、ＡＴＭ制御部５４と、を備えている。
【００４２】
ＮＷ通信部５１は、管理サーバ装置３０に接続可能な通信部であり、管理サーバ装置３０と通信を行う。
ＮＦＣ通信部５２は、近距離無線通信を利用した通信を行う。ＮＦＣ通信部５２は、例えば、インターネットバンクで予め実行した出金予約の認証情報を、携帯情報端末１０から受信する際に利用する。
【００４３】
入出金機構５３は、現金（例えば、現金硬貨及び現金紙幣）の出金（排出）、又は入金（受け取り）を行う機構である。
ＡＴＭ制御部５４は、例えば、ＣＰＵなどを含むプロセッサであり、ＡＴＭ５０を統括的に制御する。ＡＴＭ制御部５４は、ＮＦＣ通信部５２を介して、出金予約の認証情報を携帯情報端末１０から受信した場合に、当該認証情報を、ＮＷ通信部５１を介して、管理サーバ装置３０に送信する。また、ＡＴＭ制御部５４は、ＮＷ通信部５１を介して、管理サーバ装置３０から送信された出金指示情報を受信した場合に、当該出金指示情報に基づいて、予め出金予約された出金金額の現金を入出金機構５３に出金（払い出し）させる。
【００４４】
ここで、図３を参照して、ＡＴＭ５０及び携帯情報端末１０について説明する。
図３は、本実施形態におけるＡＴＭ５０及び携帯情報端末１０の一例を示す外観図である。
図３に示すように、携帯情報端末１０をＡＴＭ５０のＮＦＣ通信部１２に近づけて、ＮＦＣ通信（無線通信の一例）を利用して、認証情報（予約番号及び予約時刻）をＡＴＭ５０に送信する。ＡＴＭ５０は、ＮＦＣ通信を利用して認証情報（予約番号及び予約時刻）を受信し、受信した認証情報を、ＮＷ通信部５１を介して、管理サーバ装置３０に送信し、当該認証情報に応じた出金指示情報を、ＮＷ通信部５１を介して管理サーバ装置３０から受信する。そして、ＡＴＭ５０は、出金指示情報に基づいて、予約された出金金額の現金を、入出金機構５３の硬貨入出金口５３１及び紙幣入出金口５３２から排出する。
このように、携帯情報端末１０をＡＴＭ５０のＮＦＣ通信部５２に近づけることで、ＡＴＭ５０は、ＩＢサーバ装置２０に予め予約された出金金額の現金を入出金機構５３から排出する。
【００４５】
再び図１に戻り、勘定系ホスト装置４０は、金融機関ＣＴ３内に備えられており、金融機関ＣＴ３に開設されている口座を管理する。勘定系ホスト装置４０は、統合ＡＴＭネットワークＮＷ２に接続されている。勘定系ホスト装置４０は、ＮＷ通信部４１と、ホスト制御部４２と、預金者口座４３と、別段預金出金口４４とを備えている。
【００４６】
ＮＷ通信部４１は、ＩＢサーバ装置２０、及び統合ＡＴＭネットワークＮＷ２に接続可能な通信部である。ＮＷ通信部４１は、統合ＡＴＭネットワークＮＷ２を介して管理サーバ装置３０と通信を行う。
【００４７】
ホスト制御部４２は、例えば、ＣＰＵなどを含むプロセッサであり、勘定系ホスト装置４０を統括的に制御する。ホスト制御部４２は、ＩＢサーバ装置２０、又は統合ＡＴＭネットワークＮＷ２を介した管理サーバ装置３０からの依頼により、各種勘定処理を実行する。ホスト制御部４２は、例えば、ＩＢサーバ装置２０からの金額移動の指示に応じて、指定された預金者口座４３と別段預金出金口４４との間で、金額を移動させる処理を実行する。また、ホスト制御部４２は、例えば、統合ＡＴＭネットワークＮＷ２を介して管理サーバ装置３０からの出金指示に応じて、別段預金出金口４４から出金金額を出金する処理を実行する。
【００４８】
預金者口座４３は、預金者の口座領域であり、例えば、預金者の預金額を記憶する。なお、ＩＢサーバ装置２０が提供するインターネットバンクサービスにおいて、預金者口座４３が記憶する預金を移動する各種取引処理を実行する場合には、預金者の承認処理を必要とする。
別段預金出金口４４は、預金者口座４３とは異なる口座領域であり、例えば、複数の預金者口座４３から預金を移動させて、共通の出金用の金額（出金用プール金額）として蓄積する。なお、別段預金出金口４４が記憶する金額は、統合ＡＴＭネットワークＮＷ２を介した出金指示に対して、預金者の承認なしに、出金金額を出金（減額）することができるものとする。
【００４９】
次に、図面を参照して、本実施形態によるＡＴＭ取引システム１の動作について説明する。まず、図４を参照して、ＡＴＭ取引システム１による出金処理の動作について説明する。
図４は、本実施形態によるＡＴＭ取引システム１の出金処理の一例を示す図である。
まず、出金処理を行う預金者により、携帯情報端末１０が操作され、出金予約を実行すると、図４に示すように、携帯情報端末１０は、出金予約をＩＢサーバ装置２０に送信する（ステップＳ１０１）。なお、預金者がＩＢサーバ装置２０によるインターネットバンクのサービスの提供を受けるには、通常のキャッシュカード及び暗証番号を用いた場合よりもセキュリティの高い認証処理が必要となる。携帯情報端末１０の端末制御部１４は、出金金額を示す情報を含む出金予約を、ＮＷ通信部１１及びネットワークＮＷ１を介してＩＢサーバ装置２０に送信する。
【００５０】
次に、ＩＢサーバ装置２０は、出金予約情報を記憶する（ステップＳ１０２）。ＩＢサーバ装置２０の予約受付部２３１は、ＮＷ通信部２１を介して、携帯情報端末１０（預金者）からの出金予約を受け付け、出金予約に含まれる出金金額に、予約番号、予約時刻、及び、預金者の口座情報を追加して、図２に示すように、出金予約情報を予約記憶部２２１に記憶させる。
【００５１】
次に、ＩＢサーバ装置２０は、金額移動を勘定系ホスト装置４０に指示する（ステップＳ１０３）。すなわち、ＩＢサーバ装置２０の予約処理部２３２は、予約受付部２３１が受け付け出金予約に含まれる出金金額を当該預金者に対応する預金者口座４３から別段預金出金口４４に移動させる指示を、勘定系ホスト装置４０に送信する。
【００５２】
次に、勘定系ホスト装置４０は、別段預金出金口４４に出金金額を移動する（ステップＳ１０４）。すなわち、勘定系ホスト装置４０のホスト制御部４２は、預金者口座４３から別段預金出金口４４に出金金額を移動させる。なお、ホスト制御部４２は、当該預金者に対応する預金者口座４３の預金額と、出金金額とを比較して当該預金者口座４３の預金額が出金金額より大きいことを確認する。ホスト制御部４２は、当該預金者口座４３の預金額が出金金額より大きい場合に、出金金額を預金者口座４３から別段預金出金口４４に移動させる。
【００５３】
また、ＩＢサーバ装置２０は、出金予約情報を管理サーバ装置３０に送信する（ステップＳ１０５）。予約処理部２３２は、例えば、出金金額と、口座情報（銀行コード、店番コード、口座種別、口座番号）と、予約番号と、予約時刻とを対応付けた出金予約情報を管理サーバ装置３０に送信する。ここで、管理サーバ装置３０に送信する予約番号及び予約時刻を予約識別情報（第１予約識別情報）とする。
【００５４】
次に、管理サーバ装置３０は、出金予約情報を記憶する（ステップＳ１０６）。管理サーバ装置３０の受信処理部３３１は、ＮＷ通信部３１を介して、出金予約情報を受信し、受信した出金予約情報を予約記憶部３２１に記憶させる。
【００５５】
また、ＩＢサーバ装置２０は、認証情報を携帯情報端末１０に送信する（ステップＳ１０７）。予約処理部２３２は、例えば、予約番号及び予約時刻を認証情報（第２予約識別情報）として、ＮＷ通信部２１及びネットワークＮＷ１を介して携帯情報端末１０に送信する。なお、携帯情報端末１０の端末制御部１４は、ＮＷ通信部１１を介して認証情報を受信し、受信した認証情報を端末記憶部１３に記憶させる。
【００５６】
次に、預金者は、図３に示すように、携帯情報端末１０をＡＴＭ５０のＮＦＣ通信部５２に近づけると、携帯情報端末１０は、認証情報をＡＴＭ５０に送信する（ステップＳ１０８）。すなわち、携帯情報端末１０の端末制御部１４は、ＮＦＣ通信部１２による無線通信を利用して、端末記憶部１３が記憶する予約番号及び予約時刻を認証情報（第２予約識別情報）として、ＡＴＭ５０に送信する。
【００５７】
次に、ＡＴＭ５０は、認証情報（第２予約識別情報）を管理サーバ装置３０に送信する（ステップＳ１０９）。ＡＴＭ５０のＡＴＭ制御部５４は、ＮＦＣ通信部５２を介して受信した認証情報を、ＮＷ通信部５１を介して、管理サーバ装置３０に送信する。
【００５８】
次に、管理サーバ装置３０は、認証情報と予約識別情報とが一致するか否かを判定する（ステップＳ１１０）。すなわち、管理サーバ装置３０の取引処理部３３２は、ＡＴＭ５０から受信した認証情報（第２予約識別情報）と、予約記憶部３２１が記憶する予約識別情報（第１予約識別情報）とが一致するか否かを判定する。取引処理部３３２は、認証情報と予約識別情報とが一致する場合（ステップＳ１１０：ＹＥＳ）に、処理をステップＳ１１１に進め、出金予約による出金処理を実行する。また、取引処理部３３２は、認証情報と予約識別情報とが一致しない場合（ステップＳ１１０：ＮＯ）に、出金予約による出金処理を実行しない。
【００５９】
ステップＳ１１１において、管理サーバ装置３０は、出金指示をＡＴＭ５０に送信する。取引処理部３３２は、ＡＴＭ５０から受信した認証情報（予約番号及び予約時刻）に一致する予約識別情報に対応する出金金額を出金する出金指示をＡＴＭ５０に送信する。
【００６０】
次に、ＡＴＭ５０は、出金金額を出金する（ステップＳ１１２）。ＡＴＭ制御部５４は、ＮＷ通信部５１を介して、管理サーバ装置３０から出金指示を受信し、受信した出金指示に基づいて、入出金機構５３に出金金額の現金を排出させる。これにより、出金予約を行った預金者は、予約した出金金額の現金を受け取る。
【００６１】
次に、ＡＴＭ５０は、出金完了通知を管理サーバ装置３０に送信する（ステップＳ１１３）。すなわち、ＡＴＭ制御部５４は、ＮＷ通信部５１を介して、管理サーバ装置３０に、ＡＴＭ５０における出金処理が完了したことを示す出金完了通知を管理サーバ装置３０に送信する。
【００６２】
次に、管理サーバ装置３０は、出金指示を勘定系ホスト装置４０に送信する（ステップＳ１１４）。取引処理部３３２は、ＡＴＭから受信した出金完了通知に応じて、出金金額を別段預金出金口４４から減額する出金指示を、統合ＡＴＭネットワークＮＷ２を介して、勘定系ホスト装置４０に送信する。
【００６３】
次に、勘定系ホスト装置４０は、別段預金出金口４４から出金金額を出金する（ステップＳ１１５）。ホスト制御部４２は、管理サーバ装置３０から統合ＡＴＭネットワークＮＷ２を介して受信した出金指示に基づいて、別段預金出金口４４が記憶する金額（出金用プール金額）のうちから、出金金額を減額させる。
【００６４】
また、管理サーバ装置３０は、出金予約の完了を記録する（ステップＳ１１６）。すなわち、取引処理部３３２は、予約記憶部３２１が記憶する予約情報のうち、出金予約の完了した予約情報の「予約完了」に“１”を記憶させる。これにより、管理サーバ装置３０は、同一の出金予約が複数回実行されることを禁止する。
【００６５】
次に、管理サーバ装置３０は、出金予約完了通知をＩＢサーバ装置２０に送信する（ステップＳ１１７）。取引処理部３３２は、ＮＷ通信部３１を介して、出金予約が完了したことを示す出金予約完了通知をＩＢサーバ装置２０に送信する。なお、出金予約完了通知には、例えば、予約番号及び予約時刻を含んでいる。
【００６６】
次に、ＩＢサーバ装置２０は、出金予約の完了を記録する（ステップＳ１１８）。すなわち、予約処理部２３２は、予約記憶部２２１が記憶する予約情報のうち、出金予約の完了した予約情報の「予約完了」に“１”を記憶させる。
【００６７】
このように、本実施形態によるＡＴＭ取引システム１では、携帯情報端末１０が、インターネットバンクを利用して、出金取引を予め予約し、認証情報（予約番号及び予約時刻）を取得する。そして、携帯情報端末１０をＡＴＭ５０に近づけて（かざして）、ＮＦＣ通信を利用して、認証情報をＡＴＭ５０に送信するだけで、予約した出金金額の出金（引き出し）が可能になる。
【００６８】
次に、図５を参照して、本実施形態によるＡＴＭ取引システム１の予約取消処理の動作について説明する。
図５は、本実施形態によるＡＴＭ取引システム１の予約取消処理の一例を示す図である。なお、図５に示す例は、予約された出金予約がＡＴＭ５０において実行されずに、所定の期間以上経過した場合に、予約取消を行う予約取消処理について説明する。
図５において、ステップＳ２０１からステップＳ２０７までの処理は、上述した図４に示すステップＳ１０１からステップＳ１０７までの処理と同様であるのでここではその説明を省略する。
【００６９】
ステップＳ２０８において、ＩＢサーバ装置２０は、予約時刻から所定の期間以上経過したか否かを判定する。ＩＢサーバ装置２０の予約処理部２３２は、予約記憶部２２１が記憶する出金予約情報のうち、出金予約情報に含まれる予約時刻から所定の期間以上経過した出金予約情報があるか否かを判定する。予約処理部２３２は、予約時刻から所定の期間以上経過した場合（ステップＳ２０８：ＹＥＳ）に、処理をステップＳ２０９に進め、予約取消を実行する。また、予約処理部２３２は、予約時刻から所定の期間以上経過していない場合（ステップＳ２０８：ＮＯ）に、処理をステップＳ２０８に戻す。
【００７０】
ステップＳ２０９において、ＩＢサーバ装置２０は、出金予約を取り消す。すなわち、予約処理部２３２は、予約記憶部２２１が記憶する出金予約情報のうち、予約時刻から所定の期間以上経過した出金予約情報の「予約取消」に“１”を記憶させる。
【００７１】
次に、ＩＢサーバ装置２０は、金額移動を勘定系ホスト装置４０に指示する（ステップＳ２１０）。すなわち、予約処理部２３２は、取消した出金予約の出金金額を別段預金出金口４４から、出金予約の預金者に対応する預金者口座４３に移動させる（戻させる）指示を、勘定系ホスト装置４０に送信する。
【００７２】
次に、勘定系ホスト装置４０は、別段預金出金口４４から出金金額を戻す（ステップＳ２１１）。すなわち、ホスト制御部４２は、別段預金出金口４４から預金者口座４３に出金金額を移動させる。
【００７３】
また、ＩＢサーバ装置２０は、予約取消指示を管理サーバ装置３０に送信する（ステップＳ２１２）。予約処理部２３２は、例えば、予約番号を含む予約取消指示を管理サーバ装置３０に送信する。
【００７４】
次に、管理サーバ装置３０は、出金予約を取り消す（ステップＳ２１３）。すなわち、取引処理部３３２は、予約記憶部３２１が記憶する出金予約情報のうち、予約取消指示に含まれる予約番号に対応する出金予約情報を、予約時刻から所定の期間以上経過した出金予約情報と判定し、当該出金予約情報の「予約取消」に“１”を記憶させる。
【００７５】
以上説明したように、本実施形態によるＡＴＭ取引システム１（現金自動取引システム）は、ネットワークＮＷ１を介して金融機関ＣＴ３の取引サービスを提供するＩＢサーバ装置２０（Ｗｅｂサーバ装置）と、ＡＴＭ５０（現金自動取引装置）を管理する管理サーバ装置３０とを備える。ＩＢサーバ装置２０は、予約受付部２３１と、予約処理部２３２とを備えている。予約受付部２３１は、ネットワークＮＷ１を介して、指定された出金金額を預金者口座４３（預金者の口座）から出金する出金予約を受け付ける。予約処理部２３２は、予約受付部２３１が受け付けた出金予約に応じて、出金予約を識別する予約識別情報（第１予約識別情報）と、金融機関ＣＴ３を識別する金融機関情報及び出金金額を含む出金指示情報とを対応付けた出金予約情報を管理サーバ装置３０に送信する。そして、予約受付部２３１は、預金者口座４３から出金金額を、預金者口座４３とは異なる別段預金出金口４４（預金出金口）に移動させる指示を金融機関ＣＴ３に送信する。また、管理サーバ装置３０は、受信処理部３３１と、取引処理部３３２とを備えている。受信処理部３３１は、ＩＢサーバ装置２０から出金予約情報を受信する。取引処理部３３２は、ＡＴＭ５０に入力された認証情報（第２予約識別情報）を取得し、取得した認証情報と一致する予約識別情報に対応する出金指示情報に基づいて、出金金額の現金をＡＴＭ５０に出金させるとともに、別段預金出金口４４から出金金額を減額させる。
【００７６】
これにより、本実施形態によるＡＴＭ取引システム１は、出金予約の予約時期別情報に一致する認証情報がＡＴＭ５０に入力されることで、ＡＴＭ５０が、出金予約に対応した出金金額の現金を出金する。そのため、本実施形態によるＡＴＭ取引システム１は、例えば、キャッシュカードの挿入や取引の画面選択などの操作を行う必要がなく、ＡＴＭ５０の待ち時間を低減することができるとともに、利便性を向上させることができる。
【００７７】
また、本実施形態では、認証情報は、無線通信（例えば、ＮＦＣ通信）を利用して、携帯情報端末１０からＡＴＭ５０に入力される。
これにより、本実施形態によるＡＴＭ取引システム１は、携帯情報端末１０をＡＴＭ５０に近づけることで、出金予約による出金処理を行うことができる。そのため、本実施形態によるＡＴＭ取引システム１は、さらに利便性を向上させることができる。
【００７８】
また、本実施形態では、ＩＢサーバ装置２０は、出金予約が行われた予約時刻から所定の期間以上経過した場合に、当該出金予約を取り消す予約取消指示を管理サーバ装置３０に送信し、管理サーバ装置３０は、予約取消指示に基づいて、出金予約を取り消す。
これにより、本実施形態によるＡＴＭ取引システム１は、予約から所定の期間経過した場合に、予約を無効化することができ、出金処理のセキュリティを向上させることがきる。
【００７９】
また、本実施形態では、ＩＢサーバ装置２０は、出金予約を行う際に、インターネットバンクの取引サービスを利用するため、通常のキャッシュカード及び暗証番号を用いた場合よりもセキュリティの高い認証処理が必要とする。また、ＩＢサーバ装置２０は、予約された出金金額を、預金者口座４３から預金者の認証状を必要としない別段預金出金口４４に移動させて、管理サーバ装置３０が、統合ＡＴＭシステム６０を介して、別段預金出金口４４から予約された出金金額を出金する。
これにより、本実施形態によるＡＴＭ取引システム１は、キャッシュカード及び暗証番号を用いた場合よりも高いセキュリティを維持しつつ、キャッシュカード及び暗証番号による認証処理を必要としないＡＴＭ５０からの出金処理を可能にする。よって、本実施形態によるＡＴＭ取引システム１は、高いセキュリティを維持しつつ、利便性を向上させることができる。また、本実施形態によるＡＴＭ取引システム１は、インターネットバンクや統合ＡＴＭシステム６０などの既存のシステムをそのまま流用することがでるため、既存のシステムと共存させつつ、利便性を向上させることができる。
【００８０】
また、本実施形態によるＡＴＭ取引システム１では、ＡＴＭ５０が、操作画面及び操作入力部を必要としない。そのため、ＡＴＭ５０は、大量の操作画面データを保持する必要がなく、構成を簡略化することができる。よって、本実施形態によるＡＴＭ取引システム１では、ＡＴＭ５０を低コスト化することができる。
【００８１】
また、本実施形態によるＡＴＭ取引システム１では、予約識別情報（第１予約識別情報）及び認証情報（第２予約識別情報）には、予約番号及び予約時刻が含まれる。本実施形態によるＡＴＭ取引システム１は、予約識別情報（第１予約識別情報）及び認証情報（第２予約識別情報）に予約時刻を含めることにより、予約した預金者の成りすましを低減することができ、セキュリティを向上させることができる。
また、さらにセキュリティを向上するために、携帯情報端末１０が、認証情報（第２予約識別情報）を送信する際に、携帯情報端末１０の所有者認証を行うようにしてもよい。
【００８２】
また、本実施形態による管理サーバ装置３０は、受信処理部３３１と、取引処理部３３２とを備えている。受信処理部３３１は、出金予約情報を受信する。ここで、出金予約情報は、ネットワークＮＷ１を介して金融機関ＣＴ３の取引サービスを提供するＩＢサーバ装置２０が受け付けた出金予約であって、ネットワークＮＷ１を介して、指定された出金金額を預金者口座４３から出金する出金予約を識別する第１予約識別情報と、金融機関ＣＴ３を識別する金融機関情報及び出金金額を含む出金指示情報とを対応付けた情報である。取引処理部３３２は、ＡＴＭ５０に入力された第２予約識別情報を取得し、取得した第２予約識別情報と一致する第１予約識別情報に対応する出金指示情報に基づいて、出金金額の現金をＡＴＭ５０に出金させるとともに、預金者口座４３とは異なる預金出金口であって、預金者口座４３から出金金額が移動されている別段預金出金口４４から出金金額を減額させる。
これにより、本実施形態による管理サーバ装置３０は、上述したＡＴＭ取引システム１と同様に、ＡＴＭ５０の待ち時間を低減することができるとともに、利便性を向上させることができる。
【００８３】
また、本実施形態による現金自動取引方法は、ネットワークＮＷ１を介して金融機関ＣＴ３の取引サービスを提供するＩＢサーバ装置２０と、ＡＴＭ５０を管理する管理サーバ装置３０とを備えるＡＴＭ取引システム１の現金自動取引方法であって、予約受付ステップと、予約処理ステップと、受信処理ステップと、取引処理ステップとを含んでいる。
予約受付ステップにおいて、ＩＢサーバ装置２０が、ネットワークＮＷ１を介して、指定された出金金額を預金者口座４３から出金する出金予約を受け付ける。予約処理ステップにおいて、ＩＢサーバ装置２０が、予約受付ステップによって受け付けた出金予約に応じて、出金予約を識別する第１予約識別情報と、金融機関ＣＴ３を識別する金融機関情報及び出金金額を含む出金指示情報とを対応付けた出金予約情報を管理サーバ装置３０に送信するとともに、預金者口座４３から出金金額を、預金者口座４３とは異なる預金出金口に移動させる指示を金融機関ＣＴ３に送信する。受信処理ステップにおいて、管理サーバ装置３０が、出金予約情報を受信する。取引処理ステップにおいて、管理サーバ装置３０が、ＡＴＭ５０に入力された第２予約識別情報を取得し、取得した第２予約識別情報と一致する第１予約識別情報に対応する出金指示情報に基づいて、出金金額の現金をＡＴＭ５０に出金させるとともに、預金出金口から出金金額を減額させる。
これにより、本実施形態による現金自動取引方法は、上述したＡＴＭ取引システム１と同様に、ＡＴＭ５０の待ち時間を低減することができるとともに、利便性を向上させることができる。
【００８４】
なお、上述した本実施形態では、予約識別情報（第１予約識別情報）及び認証情報（第２予約識別情報）として、予約番号及び予約時刻を用いる例を説明したが、予約識別情報（第１予約識別情報）及び認証情報（第２予約識別情報）には、少なくとも予約番号が含まれていればよい。
また、上述した本実施形態では、金融機関ＣＴ３を識別する金融機関情報として口座情報を用いる例を説明したが、予約番号に、金融機関ＣＴ３を識別する識別コードを含めてもよい。
【００８５】
また、上述した本実施形態では、予約記憶部２２１及び予約記憶部３２１が記憶する予約情報を「予約完了」及び「予約取消」を用いて、予約完了及び予約取消の処理を行う例を説明したが、予約記憶部２２１及び予約記憶部３２１から該当する予約情報を削除してもよい。また、ＩＢサーバ装置２０は、出金予約情報を管理サーバ装置３０に送信した後に、予約記憶部２２１から該当する出金予約情報を削除するようにしてもよい。
【００８６】
また、上述した本実施形態では、別段預金出金口４４に共通の出金用の金額（出金用プール金額）として蓄積する例を説明したが、別段預金出金口４４は、預金者口座４３に対応して預金者ごとに備えられていてもよい。この場合、出金予約情報には、預金者口座４３を示す口座情報が含まれるようにして、取引処理部３３２は、口座情報に基づいて、預金者口座４３に対応する別段預金出金口４４から出金金額を減額させるようにしてもよい。これにより、本実施形態によるＡＴＭ取引システム１は、さらにセキュリティを高めることができる。
また、本実施形態によるＡＴＭ取引システム１では、管理サーバ装置３０が取引処理した出金金額と、別段預金出金口４４の出金用プール金額との間で突合処理を定期的に実行するようにしてもよい。
【００８７】
また、上述した本実施形態では、管理サーバ装置３０と勘定系ホスト装置４０とが、統合ＡＴＭシステム６０（統合ＡＴＭネットワークＮＷ２）を介して接続される例を説明したが、他の回線を用いて接続されるようにしてもよい。例えば、管理サーバ装置３０と勘定系ホスト装置４０とは、運営センタＣＴ２を含めた１つの銀行のシステムとして接続され、ＡＴＭ取引システム１は、自行利用者に対して、自行のＡＴＭ５０に対してのみ利用可能なシステムとして実現してもよい。
また、上述した本実施形態では、預金者口座４３から別段預金出金口４４に出金金額を移動させる際に、勘定系ホスト装置４０のホスト制御部４２が、出金金額より当該預金者口座４３の預金額が大きいことを確認する例を説明したが、これに限定されるものではない。例えば、予約処理部２３２は、勘定系ホスト装置４０の当該預金者に対応する預金者口座４３の預金額を取得し、当該預金者口座４３の預金額が出金金額より大きい場合に、出金金額を預金者口座４３から別段預金出金口４４に移動させる指示を、勘定系ホスト装置４０に送信するようにしてもよい。
【００８８】
［第２の実施形態］
次に、図面を参照して、第２の実施形態によるＡＴＭ取引システム１ａについて説明する。上述した第１の実施形態では、出金予約による出金処理を説明したが、本実施形態では、さらに入金予約の入金処理まで拡張した場合の例について説明する。
図６は、本実施形態によるＡＴＭ取引システム１ａの一例を示す機能ブロック図である。
図６に示すように、ＡＴＭ取引システム１ａは、携帯情報端末１０と、ＩＢサーバ装置２０ａと、管理サーバ装置３０ａと、勘定系ホスト装置４０ａと、ＡＴＭ５０とを備えている。なお、この図において、上述した図１と同一の構成には同一の符号を付与して、その説明を省略する。
【００８９】
ＩＢサーバ装置２０ａ（Ｗｅｂサーバ装置の一例）は、ＩＢセンタＣＴ１内に備えられたサーバ装置であり、ネットワークＮＷ１を介して金融機関ＣＴ３の取引サービスを提供する。ＩＢサーバ装置２０ａは、ＮＷ通信部２１と、ＩＢ記憶部２２ａと、ＩＢ制御部２３ａとを備えている。
ＩＢ記憶部２２ａは、ＩＢサーバ装置２０ａが実行する処理に利用する各種情報を記憶する。ＩＢ記憶部２２ａは、予約記憶部２２１ａを備えている。
【００９０】
予約記憶部２２１ａは、出金予約処理及び入金予約処理の予約情報を記憶する。予約記憶部２２１ａは、例えば、図７に示すように、「出入金金額」と、「口座情報」と、「予約番号」と、「予約時刻」と、「予約完了」と、「予約取消」とを対応付けて記憶する。
図７は、本実施形態における予約記憶部２２１ａのデータ例を示す図である。
図７において、「出入金金額」は、出金予約及び入金予約において指定された予約金額（取引金額）を示し、「口座情報」は、出金予約及び入金予約により取引される預金者の口座情報を示している。ここで、口座情報には、例えば、銀行コード、店番コード、口座種別、口座番号などが含まれ、口座情報は、金融機関ＣＴ３を識別する金融機関情報の一例である。また、「予約番号」は、出金予約又は入金予約を識別する識別情報であり、「予約時刻」は、出金予約又は入金予約が受け付けられた時刻を示している。なお、「予約時刻」を、出金予約又は入金予約を識別する識別情報の一部としてもよい。また、「予約番号」は、例えば、出金予約である場合に、最上位桁に“０”を付与し、入金予約である場合に、最上位桁に“１”を付与する。
【００９１】
また、「予約完了」は、出金予約又は入金予約の取引がＡＴＭ５０において完了しているか否かを示す情報であり、例えば、出金予約又は入金予約の取引が完了している場合に、“１”が記憶され、出金予約又は入金予約の取引が完了していない場合に、Ｎｕｌｌとなる。また、「予約取消」は、出金予約又は入金予約が取り消されたか否かを示す情報であり、例えば、出金予約又は入金予約が取り消された場合に、“１”が記憶され、出金予約又は入金予約が取り消されていない場合に、Ｎｕｌｌとなる。
【００９２】
図７に示す例では、「出入金金額」が“１，０００円”、「口座情報」が“ＸＸＸ−ＸＸＸ・・・”、「予約番号」が“０ＸＸＸ０００１”、「予約時刻」が“１１：００”の予約は、出金予約を示し、「予約完了」が“１”であり、既に取引が完了していることを示している。また、出金金額」が“５０，０００円”、「口座情報」が“ＸＸＸ−ＸＸＸ・・・”、「予約番号」が“１ＸＸＸ０００２”、「予約時刻」が“１２：００”の予約は、入金予約を示し、「予約完了」が“１”であり、既に取引が完了していることを示している。
【００９３】
図６の説明に戻り、ＩＢ制御部２３ａは、例えば、ＣＰＵなどを含むプロセッサであり、ＩＢサーバ装置２０ａを統括的に制御する。ＩＢ制御部２３ａは、例えば、予約受付部２３１ａと、予約処理部２３２ａとを備えている。
なお、予約受付部２３１ａ及び予約処理部２３２ａにおける出金処理に関する処理は、第１の実施形態の予約受付部２３１及び予約処理部２３２と同様である。予約受付部２３１ａ及び予約処理部２３２ａは、入金処理に関する処理を実行する点が、第１の実施形態の予約受付部２３１及び予約処理部２３２と異なる。
【００９４】
予約受付部２３１ａは、ネットワークＮＷ１を介して、指定された入金金額を預金者口座４３（預金者の口座）に入金する入金予約を受け付ける。予約受付部２３１ａは、例えば、ネットワークＮＷ１及びＮＷ通信部２１を介して、携帯情報端末１０から、入金金額を含む入金予約を、インターネットバンクのＷｅｂサービスを利用して受け付ける。
【００９５】
予約処理部２３２ａは、予約受付部２３１ａが受け付けた入金予約に応じて、入金予約を識別する第３予約識別情報と、金融機関ＣＴ３を識別する金融機関情報及び出金金額を含む出金指示情報とを対応付けた出金予約情報を管理サーバ装置３０ａに送信する。ここで、第３予約識別情報は、例えば、上述した予約番号及び予約時刻であり、金融機関情報は、例えば、上述した口座情報である。予約処理部２３２ａは、例えば、出金金額と、口座情報（銀行コード、店番コード、口座種別、口座番号）と、予約番号及び予約時刻（第１予約識別情報）とを対応付けた入金予約情報を、予約記憶部２２１ａに記憶させる。また、予約処理部２３２ａは、入金予約情報を、ＮＷ通信部２１を介して、管理サーバ装置３０ａに送信する。
また、予約処理部２３２ａは、入金予約の送信元の携帯情報端末１０に、例えば、予約番号及び予約時刻を認証情報（第２予約識別情報）として、ネットワークＮＷ１及びＮＷ通信部２１を介して送信する。
【００９６】
また、予約処理部２３２ａは、管理サーバ装置３０ａから入金予約の取引が完了したことを示す予約完了通知を受信した場合に、予約記憶部２２１ａにおける当該出金予約に対応する「予約完了」に“１”を記憶させる。
また、予約処理部２３２ａは、予約された入金金額を、預金者口座４３から別段預金振込口４５（預金振込口）に移動させる指示を金融機関ＣＴ３に送信する。すなわち、予約処理部２３２ａは、ＮＷ通信部２１を介して、入金予約において指定された入金金額を、別段預金振込口４５から預金者口座４３に移動させる指示を、勘定系ホスト装置４０ａに送信する。
【００９７】
また、予約処理部２３２ａは、入金予約の予約時刻から所定の期間以上が経過した場合に、予約記憶部２２１ａにおける当該予約時刻に対応する「予約取消」に“１”を記憶させる。
また、予約処理部２３２ａは、入金予約の予約時刻から所定の期間以上が経過した場合に、入金予約の取消を指示する予約取消指示を、ＮＷ通信部２１を介して、管理サーバ装置３０ａに送信する。
【００９８】
管理サーバ装置３０ａは、運営センタＣＴ２内に備えられたサーバ装置であり、ＡＴＭ５０を管理するサーバ装置である。管理サーバ装置３０ａは、ＮＷ通信部３１と、管理記憶部３２ａと、管理制御部３３ａとを備えている。
管理記憶部３２ａは、管理サーバ装置３０ａが実行する処理に利用する各種情報を記憶する。管理記憶部３２ａは、予約記憶部３２１ａを備えている。
【００９９】
予約記憶部３２１ａは、ＩＢサーバ装置２０ａから受信した入金予約情報及び出金予約情報を記憶する。予約記憶部３２１ａは、例えば、図７に示す予約記憶部２２１ａと同様に、「出入金金額」と、「口座情報」と、「予約番号」と、「予約時刻」と、「予約完了」と、「予約取消」とを対応付けて記憶する。
【０１００】
管理制御部３３ａは、例えば、ＣＰＵなどを含むプロセッサであり、管理サーバ装置３０ａを統括的に制御する。管理制御部３３ａは、例えば、受信処理部３３１ａと、取引処理部３３３ａとを備えている。
なお、受信処理部３３１ａ及び取引処理部３３３ａにおける出金処理に関する処理は、第１の実施形態の受信処理部３３１及び取引処理部３３３と同様である。受信処理部３３１ａ及び取引処理部３３３ａは、入金処理に関する処理を実行する点が、第１の実施形態の受信処理部３３１及び取引処理部３３３と異なる。
【０１０１】
受信処理部３３１ａは、ＮＷ通信部３１を介して、ＩＢサーバ装置２０ａが送信した入金予約情報を受信する。受信処理部３３１ａは、受信した入金予約情報を予約記憶部３２１ａに記憶させる。
【０１０２】
取引処理部３３２ａは、ＡＴＭ５０に入力された認証情報（予約番号及び予約時刻）を取得し、取得した認証情報（予約番号及び予約時刻）と一致する第１予約識別情報（予約番号及び予約時刻）に対応する入金指示情報に基づいて、入金金額の現金をＡＴＭ５０に入金させる。すなわち、取引処理部３３２ａは、ＡＴＭ５０に入力された予約番号及び予約時刻と、予約記憶部３２１ａが記憶する入金予約情報に含まれる予約番号及び予約時刻とが一致するか否かを判定する。取引処理部３３２ａは、両者が一致する場合に、当該予約番号及び予約時刻に対応する入金指示情報をＡＴＭ５０に送信して、入金金額の現金をＡＴＭ５０から入金させる。
【０１０３】
また、この場合、取引処理部３３２ａは、ＮＷ通信部３１及び統合ＡＴＭネットワークＮＷ２を介して、勘定系ホスト装置４０ａに別段預金振込口４５に入金金額を振り込みさせる。また、取引処理部３３２ａは、入金取引の完了した入金予約情報に対応する予約記憶部３２１ａの「予約完了」に“１”を記憶させるとともに、当該入金予約の予約完了通知を、ＮＷ通信部３１介して、ＩＢサーバ装置２０ａに送信する。
【０１０４】
また、取引処理部３３２ａは、入金予約の取消を指示する予約取消指示を、ＮＷ通信部３１を介して、ＩＢサーバ装置２０ａから受信した場合に、予約取消指示に対応する入金予約情報を取り消す。すなわち、取引処理部３３２ａは、予約取消指示に対応する予約記憶部３２１ａの「予約取消」に“１”を記憶させる。
【０１０５】
勘定系ホスト装置４０ａは、金融機関ＣＴ３内に備えられており、金融機関ＣＴ３に開設されている口座を管理する。勘定系ホスト装置４０ａは、統合ＡＴＭネットワークＮＷ２に接続されている。勘定系ホスト装置４０ａは、ＮＷ通信部４１と、ホスト制御部４２と、預金者口座４３と、別段預金出金口４４と、別段預金振込口４５とを備えている。
【０１０６】
別段預金振込口４５は、預金者口座４３とは異なる口座領域であり、例えば、共通の振込用の金額（入金用プール金額）を蓄積し、入金の際に、預金者口座４３に振込金（入金金額）として移動させる。なお、別段預金振込口４５が記憶する金額は、統合ＡＴＭネットワークＮＷ２を介した入金指示に対して、預金者口座の確認なしに、入金金額を入金（振込）することができるものとする。
【０１０７】
次に、図面を参照して、本実施形態によるＡＴＭ取引システム１ａの動作について説明する。
図８は、本実施形態によるＡＴＭ取引システム１ａの入金処理の一例を示す図である。
まず、入金処理を行う預金者により、携帯情報端末１０が操作され、入金予約を実行すると、図８に示すように、携帯情報端末１０は、入金予約をＩＢサーバ装置２０ａに送信する（ステップＳ３０１）。携帯情報端末１０の端末制御部１４は、入金金額を示す情報を含む入金予約を、ＮＷ通信部１１及びネットワークＮＷ１を介してＩＢサーバ装置２０ａに送信する。
【０１０８】
次に、ＩＢサーバ装置２０ａは、入金予約情報を記憶する（ステップＳ３０２）。ＩＢサーバ装置２０ａの予約受付部２３１ａは、ＮＷ通信部２１を介して、携帯情報端末１０（預金者）からの入金予約を受け付け、入金予約に含まれる入金金額に、予約番号、予約時刻、及び、預金者の口座情報を追加して、図７に示すように、入金予約情報を予約記憶部２２１ａに記憶させる。
【０１０９】
また、ＩＢサーバ装置２０ａは、入金予約情報を管理サーバ装置３０ａに送信する（ステップＳ３０３）。予約処理部２３２ａは、例えば、入金金額と、口座情報（銀行コード、店番コード、口座種別、口座番号）と、予約番号と、予約時刻とを対応付けた入金予約情報を管理サーバ装置３０ａに送信する。ここで、管理サーバ装置３０ａに送信する予約番号及び予約時刻を予約識別情報（第１予約識別情報）とする。
【０１１０】
次に、管理サーバ装置３０ａは、入金予約情報を記憶する（ステップＳ３０４）。管理サーバ装置３０ａの受信処理部３３１ａは、ＮＷ通信部３１を介して、入金予約情報を受信し、受信した入金予約情報を予約記憶部３２１ａに記憶させる。
【０１１１】
また、ＩＢサーバ装置２０ａは、認証情報を携帯情報端末１０に送信する（ステップＳ３０５）。予約処理部２３２ａは、例えば、予約番号及び予約時刻を認証情報（第２予約識別情報）として、ＮＷ通信部２１及びネットワークＮＷ１を介して携帯情報端末１０に送信する。なお、携帯情報端末１０の端末制御部１４は、ＮＷ通信部１１を介して認証情報を受信し、受信した認証情報を端末記憶部１３に記憶させる。
【０１１２】
次に、預金者は、図３に示すように、携帯情報端末１０をＡＴＭ５０のＮＦＣ通信部５２に近づけると、携帯情報端末１０は、認証情報をＡＴＭ５０に送信する（ステップＳ３０６）。
次に、ＡＴＭ５０は、認証情報（第２予約識別情報）を管理サーバ装置３０ａに送信する（ステップＳ３０７）。ＡＴＭ５０のＡＴＭ制御部５４は、ＮＦＣ通信部５２を介して受信した認証情報を、ＮＷ通信部５１を介して、管理サーバ装置３０ａに送信する。
【０１１３】
次に、管理サーバ装置３０ａは、認証情報と予約識別情報とが一致するか否かを判定する（ステップＳ３０８。すなわち、管理サーバ装置３０ａの取引処理部３３２ａは、ＡＴＭ５０から受信した認証情報（第２予約識別情報）と、予約記憶部３２１ａが記憶する予約識別情報（第１予約識別情報）とが一致するか否かを判定する。取引処理部３３２ａは、認証情報と予約識別情報とが一致する場合（ステップＳ３０８：ＹＥＳ）に、処理をステップＳ３０９に進め、入金予約による入金処理を実行する。また、取引処理部３３２ａは、認証情報と予約識別情報とが一致しない場合（ステップＳ３０８：ＮＯ）に、入金予約による入金処理を実行しない。
【０１１４】
ステップＳ３０９において、管理サーバ装置３０ａは、入金指示をＡＴＭ５０に送信する。取引処理部３３２ａは、ＡＴＭ５０から受信した認証情報（予約番号及び予約時刻）に一致する予約識別情報に対応する入金金額を入金させる入金指示をＡＴＭ５０に送信する。
【０１１５】
次に、ＡＴＭ５０は、入金金額を入金させる（ステップＳ３１０）。ＡＴＭ制御部５４は、ＮＷ通信部５１を介して、管理サーバ装置３０ａから入金指示を受信し、受信した入金指示に基づいて、預金者に入出金機構５３を介して入金金額の現金を入金させる。これにより、入金予約を行った預金者は、予約した入金金額の現金を入金する。
次に、ＡＴＭ５０は、入金完了通知を管理サーバ装置３０ａに送信する（ステップＳ３１１）。
【０１１６】
次に、管理サーバ装置３０ａは、入金指示を勘定系ホスト装置４０ａに送信する（ステップＳ３１２）。取引処理部３３２ａは、ＡＴＭから受信した入金完了通知に応じて、入金金額を別段預金振込口４５に移動する入金指示を、統合ＡＴＭネットワークＮＷ２を介して、勘定系ホスト装置４０ａに送信する。
【０１１７】
次に、勘定系ホスト装置４０ａは、別段預金振込口４５に入金金額を入金する（ステップＳ３１３）。ホスト制御部４２は、管理サーバ装置３０ａから統合ＡＴＭネットワークＮＷ２を介して受信した入金指示に基づいて、別段預金振込口４５が記憶する金額（入金用プール金額）に入金金額を加算させる。
【０１１８】
また、管理サーバ装置３０ａは、入金予約の完了を記録する（ステップＳ３１４）。すなわち、取引処理部３３２ａは、予約記憶部３２１ａが記憶する予約情報のうち、入金予約の完了した予約情報の「予約完了」に“１”を記憶させる。これにより、管理サーバ装置３０ａは、同一の入金予約が複数回実行されることを禁止する。
【０１１９】
次に、管理サーバ装置３０ａは、入金予約完了通知をＩＢサーバ装置２０ａに送信する（ステップＳ３１５）。取引処理部３３２ａは、ＮＷ通信部３１を介して、入金予約が完了したことを示す入金予約完了通知をＩＢサーバ装置２０ａに送信する。なお、入金予約完了通知には、例えば、予約番号及び予約時刻を含んでいる。
【０１２０】
次に、ＩＢサーバ装置２０ａは、金額移動を勘定系ホスト装置４０ａに指示する（ステップＳ３１６）。すなわち、ＩＢサーバ装置２０ａの予約処理部２３２ａは、入金金額を別段預金振込口４５から当該預金者に対応する預金者口座４３に移動させる指示を、勘定系ホスト装置４０ａに送信する。
【０１２１】
次に、勘定系ホスト装置４０ａは、別段預金振込口４５から入金金額を移動する（ステップＳ３１７）。すなわち、勘定系ホスト装置４０ａのホスト制御部４２は、別段預金振込口４５から預金者口座４３に入金金額を移動させる。
【０１２２】
次に、ＩＢサーバ装置２０ａは、入金予約の完了を記録する（ステップＳ３１８）。すなわち、予約処理部２３２ａは、予約記憶部２２１ａが記憶する予約情報のうち、入金予約の完了した予約情報の「予約完了」に“１”を記憶させる。
【０１２３】
このように、本実施形態によるＡＴＭ取引システム１ａでは、携帯情報端末１０が、インターネットバンクを利用して、入金取引を予め予約し、認証情報（予約番号及び予約時刻）を取得する。そして、携帯情報端末１０をＡＴＭ５０に近づけて（かざして）、ＮＦＣ通信を利用して、認証情報をＡＴＭ５０に送信するだけで、予約した入金金額の入金が可能になる。
【０１２４】
なお、本実施形態によるＡＴＭ取引システム１ａの入金処理の取消処理は、出金処理が入金処理に変更になっている点を除いて第１の実施形態と同様であるため、ここではその説明を省略する。また、本実施形態によるＡＴＭ取引システム１ａの出金処理及び出金処理の取消処理は、第１の実施形態と同様であるため、ここではその説明を省略する。
【０１２５】
以上説明したように、本実施形態によるＡＴＭ取引システム１ａは、予約受付部２３１ａは、ネットワークＮＷ１を介して、指定された入金金額を預金者口座４３に入金する入金予約を受け付ける。予約処理部２３２ａは、予約受付部２３１ａが受け付けた入金予約に応じて、入金予約を識別する予約識別情報（第３予約識別情報）と、金融機関情報及び入金金額を含む入金指示情報とを対応付けた入金予約情報を管理サーバ装置３０ａに送信するとともに、預金者口座４３とは異なる別段預金振込口４５（預金振込口）から預金者口座４３に入金金額を移動させる指示を金融機関ＣＴ３に送信する。また、受信処理部３３１ａは、入金予約情報を受信する。取引処理部３３２ａは、取得した認証情報（第２予約識別情報）と一致する予約識別情報（第３予約識別情報）に対応する入金指示情報に基づいて、ＡＴＭ５０に入金金額の現金を入金させるとともに、入金金額を別段預金振込口４５に移動させる。
【０１２６】
これにより、本実施形態によるＡＴＭ取引システム１ａは、入金予約の予約時期別情報に一致する認証情報がＡＴＭ５０に入力されることで、ＡＴＭ５０が、出金予約に対応した入金金額の現金を入金する。そのため、本実施形態によるＡＴＭ取引システム１ａは、例えば、キャッシュカードの挿入や取引の画面選択などの操作を行う必要がなく、ＡＴＭ５０の待ち時間を低減することができるとともに、利便性をさらに向上させることができる。
【０１２７】
なお、上述した本実施形態では、入金金額の現金を入金が入力された後に、ＩＢサーバ装置２０ａが、別段預金振込口４５（預金振込口）から預金者口座４３に入金金額を移動させる指示を金融機関ＣＴ３（勘定系ホスト装置４０ａ）に送信する例を説明したが、これに限定されるものではない。ＩＢサーバ装置２０ａは、出金予約と同様に、入金予約を受け付けた際に、別段預金振込口４５（預金振込口）から預金者口座４３に入金金額を移動させる指示を金融機関ＣＴ３（勘定系ホスト装置４０ａ）に送信するようにしてもよい。
【０１２８】
［第３の実施形態］
次に、図面を参照して、第３の実施形態によるＡＴＭ取引システム１ｂについて説明する。上述した第１の実施形態では、出金予約の取消処理を、ＩＢサーバ装置２０から実行する例を説明したが、本実施形態では、管理サーバ装置３０から実行する一例について説明する。
図９は、本実施形態によるＡＴＭ取引システム１ｂの一例を示す機能ブロック図である。
【０１２９】
図９に示すように、ＡＴＭ取引システム１ｂは、携帯情報端末１０と、ＩＢサーバ装置２０ｂと、管理サーバ装置３０ｂと、勘定系ホスト装置４０と、ＡＴＭ５０とを備えている。本実施形態では、ＩＢサーバ装置２０ｂが、ＩＢ制御部２３ｂ（予約処理部２３２ｂ）を備える点と、管理サーバ装置３０ｂが、管理制御部３３ｂ（取引処理部３３２ｂ）を備える点とが、第１の実施形態と異なる。
なお、図９において、上述した図１と同一の構成には同一の符号を付与して、その説明を省略する。
【０１３０】
管理制御部３３ｂの取引処理部３３２ｂは、予約時刻から所定の期間以上が経過しても、ＩＢサーバ装置２０ｂから受信した予約識別情報（第１予約識別情報）と一致する認証情報（第２予約識別情報）を取得できなかった場合に、出金予約情報に対応する出金予約の取り消し指示をＩＢサーバ装置２０ｂに送信する。取引処理部３３２ｂは、例えば、予約記憶部３２１が記憶する出金予約情報のうち、出金予約情報に含まれる予約時刻から所定の期間以上経過した出金予約情報があるか否かを判定する。取引処理部３３２ｂは、予約時刻から所定の期間以上経過した出金予約情報がある場合に、予約時刻から所定の期間以上経過した出金予約情報の「予約取消」に“１”を記憶させる。また、取引処理部３３２ｂは、ＮＷ通信部３１を介して、予約取消指示をＩＢサーバ装置２０ｂに送信する。
【０１３１】
ＩＢ制御部２３ｂの予約処理部２３２ｂは、管理サーバ装置３０ｂから予約取消指示を受信した場合に、予約記憶部２２１における当該予約取消指示に対応する出金予約情報の「予約取消」に“１”を記憶させる。また、この場合、予約処理部２３２ｂは、取消を行った出金予約において指定された出金金額を、別段預金出金口４４から預金者口座４３に移動させる（戻させる）指示を、勘定系ホスト装置４０に送信する。
【０１３２】
次に、図１０を参照して、本実施形態によるＡＴＭ取引システム１ｂの予約取消処理の動作について説明する。
図１０は、本実施形態によるＡＴＭ取引システム１ｂの予約取消処理の一例を示す図である。なお、図１０に示す例は、予約された出金予約がＡＴＭ５０において実行されずに、所定の期間以上経過した場合に、予約取消を行う予約取消処理について説明する。
図１０において、ステップＳ４０１からステップＳ４０７までの処理は、上述した図４に示すステップＳ１０１からステップＳ１０７までの処理と同様であるのでここではその説明を省略する。
【０１３３】
ステップＳ４０８において、管理サーバ装置３０ｂは、予約時刻から所定の期間以上経過したか否かを判定する。管理サーバ装置３０ｂの取引処理部３３２ｂは、予約記憶部３２１が記憶する出金予約情報のうち、出金予約情報に含まれる予約時刻から所定の期間以上経過した出金予約情報があるか否かを判定する。取引処理部３３２ｂは、予約時刻から所定の期間以上経過した場合（ステップＳ４０８：ＹＥＳ）に、処理をステップＳ４０９に進め、予約取消を実行する。また、取引処理部３３２ｂは、予約時刻から所定の期間以上経過していない場合（ステップＳ４０８：ＮＯ）に、処理をステップＳ４０８に戻す。
【０１３４】
ステップＳ４０９において、管理サーバ装置３０ｂは、出金予約を取り消す。すなわち、取引処理部３３２ｂは、予約記憶部３２１が記憶する出金予約情報のうち、予約時刻から所定の期間以上経過した出金予約情報の「予約取消」に“１”を記憶させる。
【０１３５】
次に、管理サーバ装置３０ｂは、予約取消指示をＩＢサーバ装置２０ｂに送信する（ステップＳ４１０）。取引処理部３３２ｂは、例えば、予約番号を含む予約取消指示をＩＢサーバ装置２０ｂに送信する。
【０１３６】
次に、ＩＢサーバ装置２０ｂは、出金予約を取り消す（ステップＳ４１１）。すなわち、予約処理部２３２ｂは、予約記憶部２２１が記憶する出金予約情報のうち、予約取消指示に含まれる予約番号に対応する出金予約情報を、予約時刻から所定の期間以上経過した出金予約情報と判定し、当該出金予約情報の「予約取消」に“１”を記憶させる。
【０１３７】
次に、ＩＢサーバ装置２０ｂは、金額移動を勘定系ホスト装置４０に指示する（ステップＳ４１２）。すなわち、予約処理部２３２ｂは、取消した出金予約の出金金額を別段預金出金口４４から、出金予約の預金者に対応する預金者口座４３に移動させる（戻させる）指示を、勘定系ホスト装置４０に送信する。
【０１３８】
次に、勘定系ホスト装置４０は、別段預金出金口４４から出金金額を戻す（ステップＳ４１３）。すなわち、ホスト制御部４２は、別段預金出金口４４から預金者口座４３に出金金額を移動させる。
【０１３９】
以上説明したように、本実施形態によるＡＴＭ取引システム１ｂでは、出金予約情報には、出金予約を受け付けた予約時刻が含まれる。取引処理部３３２ｂは、予約時刻から所定の期間以上が経過しても、予約識別情報（第１予約識別情報）と一致する認証情報（第２予約識別情報）を取得できなかった場合に、出金予約情報に対応する出金予約の取り消し指示をＩＢサーバ装置２０ｂに送信する。
これにより、本実施形態によるＡＴＭ取引システム１ｂは、予約から所定の期間経過した場合に、予約を無効化することができ、出金処理のセキュリティを向上させることがきる。
【０１４０】
なお、本発明は、上記の各実施形態に限定されるものではなく、本発明の趣旨を逸脱しない範囲で変更可能である。
例えば、上記の各実施形態において、ＡＴＭ５０は、ＮＦＣ通信を利用して認証情報を取得する例を説明したが、これに限定されるものではない。ＡＴＭ５０は、例えば、バーコードやＱＲコード（登録商標）などの２次元コードを利用して認証情報を取得するようにしてもよいし、ＮＦＣ通信とは異なる通信手段により認証情報を取得するようにしてもよい。また、２次元コードを利用する場合、２次元コードは、携帯情報端末１０の表示部１６に表示させてもよいし、紙等に印刷したものであってもよい。
【０１４１】
また、上記の各実施形態において、ＩＢサーバ装置２０（２０ａ、２０ｂ）、管理サーバ装置３０（３０ａ、３０ｂ）、及び勘定系ホスト装置４０（４０ａ）のそれぞれは、１つのサーバ装置として説明したが、複数のサーバ装置によって実現されてもよい。
【０１４２】
また、上記の各実施形態において、携帯情報端末１０が、例えば、ＧＰＳ（Global Positioning System）などにより、携帯情報端末１０位置情報を検出可能な場合には、ＡＴＭ取引システム１（１ａ、１ｂ）は、以下の図１１に示すような処理を実行するようにしてもよい。
図１１は、ＡＴＭ取引システム１（１ａ、１ｂ）のＡＴＭ位置表示サービスの一例を示す図である。
図１１に示すように、携帯情報端末１０は、ＧＰＳなどにより検出した位置情報をＩＢサーバ装置２０（２０ａ、２０ｂ）に送信する（ステップＳ５０１）。
【０１４３】
次に、ＩＢサーバ装置２０（２０ａ、２０ｂ）は、携帯情報端末１０の位置情報を管理サーバ装置３０（３０ａ、３０ｂ）に送信する（ステップＳ５０２）。
次に、管理サーバ装置３０（３０ａ、３０ｂ）は、携帯情報端末１０の位置情報の示す位置から所定の距離以内のＡＴＭ５０の位置情報の一覧を生成する（ステップＳ５０３）。管理サーバ装置３０（３０ａ、３０ｂ）は、自装置が管理するＡＴＭ５０のうちから、受信した携帯情報端末１０の位置情報の示す位置から所定の距離以内のＡＴＭ５０を抽出する。管理サーバ装置３０（３０ａ、３０ｂ）は、抽出したＡＴＭ５０の位置情報の一覧を生成する。
【０１４４】
次に、管理サーバ装置３０（３０ａ、３０ｂ）は、ＡＴＭ５０の位置情報の一覧をＩＢサーバ装置２０（２０ａ、２０ｂ）に送信する（ステップＳ５０４）。
次に、ＩＢサーバ装置２０（２０ａ、２０ｂ）は、ＡＴＭ５０の位置情報の一覧を携帯情報端末１０に送信する（ステップＳ５０５）。
次に、携帯情報端末１０は、受信したＡＴＭ５０の位置情報の一覧に基づいて、ＡＴＭの位置情報を表示部１６に表示する（ステップＳ５０６）。
【０１４５】
このように、ＩＢサーバ装置２０（２０ａ、２０ｂ）は、預金者の位置情報（例えば、携帯情報端末１０の位置情報）を取得し、取得した預金者の位置情報を管理サーバ装置３０（３０ａ、３０ｂ）に送信する。そして、管理サーバ装置３０（３０ａ、３０ｂ）は、ＩＢサーバ装置２０（２０ａ、２０ｂ）から送信された預金者の位置情報に基づいて、預金者の位置から所定の距離以内に存在するＡＴＭ５０の位置情報を、ＩＢサーバ装置２０（２０ａ、２０ｂ）に送信する。
これにより、預金者が出金予約又は入金予約した後に、近くにあるＡＴＭ５０の位置を知ることができる。そのため、ＡＴＭ取引システム１（１ａ、１ｂ）は、さらに利便性を向上させることができる。
【０１４６】
なお、上述したＡＴＭ取引システム１（１ａ、１ｂ）が備える各構成は、内部に、コンピュータシステムを有している。そして、上述したＡＴＭ取引システム１（１ａ、１ｂ）が備える各構成の機能を実現するためのプログラムをコンピュータ読み取り可能な記録媒体に記録して、この記録媒体に記録されたプログラムをコンピュータシステムに読み込ませ、実行することにより上述したＡＴＭ取引システム１（１ａ、１ｂ）が備える各構成における処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。
また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。
【０１４７】
また、記録媒体には、当該プログラムを配信するために配信サーバからアクセス可能な内部又は外部に設けられた記録媒体も含まれる。なお、プログラムを複数に分割し、それぞれ異なるタイミングでダウンロードした後にＡＴＭ取引システム１（１ａ、１ｂ）が備える各構成で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【０１４８】
また、上述した機能の一部又は全部を、ＬＳＩ（Large Scale Integration）等の集積回路として実現してもよい。上述した各機能は個別にプロセッサ化してもよいし、一部、又は全部を集積してプロセッサ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いてもよい。
【符号の説明】
【０１４９】
１、１ａ、１ｂ  ＡＴＭ取引システム
１０  携帯情報端末
１１、２１、３１、４１、５１  ＮＷ通信部
１２、５２  ＮＦＣ通信部
１３  端末記憶部
１４  端末制御部
１５  入力部
１６  表示部
２０、２０ａ、２０ｂ  ＩＢサーバ装置
２２、２２ａ  ＩＢ記憶部
２３、２３ａ、２３ｂ  ＩＢ制御部
３０、３０ａ、３０ｂ  管理サーバ装置
３２、３２ａ  管理記憶部
３３、３３ａ、３３ｂ  管理制御部
４０、４０ａ  勘定系ホスト装置
４２  ホスト制御部
４３  預金者口座
４４  別段預金出金口
４５  別段預金振込口
５０  ＡＴＭ
５３  入出金機構
５４  ＡＴＭ制御部
６０  統合ＡＴＭシステム
２２１、２２１ａ、３２１、３２１ａ  予約記憶部
２３１、２３１ａ  予約受付部
２３２、２３２ａ、２３２ｂ  予約処理部
３３１、３３１ａ  受信処理部
３３２、３３２ａ、３３２ｂ  取引処理部
５３１  硬貨入出金口
５３２  紙幣入出金口
ＣＴ１  ＩＢセンタ
ＣＴ２  運営センタ
ＣＴ３  金融機関
ＮＷ１  ネットワーク
ＮＷ２  統合ＡＴＭネットワーク
【図１】
0006336188.tif 000002
【図２】
0006336188.tif 000003
【図３】
0006336188.tif 000004
【図４】
0006336188.tif 000005
【図５】
0006336188.tif 000006
【図６】
0006336188.tif 000007
【図７】
0006336188.tif 000008
【図８】
0006336188.tif 000009
【図９】
0006336188.tif 000010
【図１０】
0006336188.tif 000011
【図１１】
0006336188.tif 000012